(57)【要約】【課題】ポーリングを行なうことなく通信状態を検知できる通信端末装置、基地局装置ならびに無線通信システムを提供する。【解決手段】通信端末装置１００が、狭域無線通信エリア内に進入すると、通信状態検知部１０２がそれを検知して制御部１０４に通知し、通信アプリ部１０５を起動する。広域無線通信部１０３は、狭域無線通信エリアに進入したことを通知し、基地局装置２００は、それを受信すると、通信アプリ部２０５を起動する。通信アプリ部１０５から通信アプリ部２０５へ、もしくは通信アプリ部２０５から通信アプリ部１０５へ、通信路締結の要求を発行し、通信路を締結した後、通信アプリ部１０５、２０５間の通信を開始する。【選択図】  図１
2004349922.tif 000002
【特許請求の範囲】
【請求項１】
基地局装置と通信する第１の通信手段と、前記基地局装置と通信する第２の通信手段と、前記第１の通信手段が前記基地局装置と通信可能な通信エリアに対する通信状態を検知する通信状態検知手段とを備え、前記通信状態検知手段が検知した通信状態を前記第２の通信手段により前記基地局装置に通知することを特徴とする通信端末装置。
【請求項２】
前記通信状態検知手段は、前記第１の通信手段が前記通信エリアに進入したことを検知した場合に、前記通信状態を通知することを特徴とする請求項１記載の通信端末装置。
【請求項３】
前記通信状態検知手段は、前記第１の通信手段が前記通信エリアから離脱したことを検知した場合に、前記通信状態を通知することを特徴とする請求項１または請求項２記載の通信端末装置。
【請求項４】
前記通信状態検知手段は、前記第１の通信手段が受信する前記基地局装置からの信号の状態と、あらかじめ取得した前記通信エリアを示す位置データに対する現在位置を測位する現在位置測位手段によって得られた現在位置データの状態と、あらかじめ取得した前記通信エリアを示す位置データに対する通信端末装置の周辺から取得した情報により得られる位置データの状態のうちの少なくとも一つで検知することを特徴とする請求項１乃至請求項３のいずれかに記載の通信端末装置。
【請求項５】
前記通信エリアは、前記第２の通信手段が前記基地局装置と通信可能なエリアよりも狭いことを特徴とする請求項１乃至請求項４のいずれかに記載の通信端末装置。
【請求項６】
通信端末装置と通信可能な第１の通信エリアを有する第１の通信手段と、前記第１の通信エリアより広い前記通信端末装置と通信可能な第２の通信エリアを有する第２の通信手段とを備え、前記通信端末装置の前記第１通信エリアに対する通信状態を前記第２の通信手段で受信することを特徴とする基地局装置。
【請求項７】
前記通信端末装置が前記第１の通信エリアに進入あるいは前記第１の通信エリアから離脱したことを示す通信状態を前記第２の通信手段が受信した場合に、通信に関するアプリケーションを実行するアプリケーション実行手段が前記第１の通信手段と前記通信端末装置との通信の接続である接続処理、あるいは前記第１の通信手段と前記通信端末装置との通信の切断である切断処理を行うことを特徴とする請求項６記載の基地局装置。
【請求項８】
請求項１乃至請求項５のいずれかに記載の通信端末装置と、請求項６または請求項７に記載の基地局装置とからなる無線通信システム。
【発明の詳細な説明】
【０００１】
【発明の属する技術分野】
本発明は、基地局装置と通信端末装置との間の通信状態を基地局装置が認識する通信端末装置、基地局装置ならびに無線通信システムに関するものである。
【０００２】
【従来の技術】
従来、この種の通信端末装置、基地局装置ならびに無線通信システムとして、基地局装置が定期的に通信端末装置と無線通信を行い、通信状態に変化が生じると、基地局装置が回線通信部を介して上位装置へ通報を行う機能を有するものがある（例えば特許文献１参照）。
【０００３】
また、一般にインターネットの一般的な接続手順であるＴｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ（ＴＣＰ／ＩＰ）で接続されたアプリケーションは、その通信路が有効であるかどうかは、データを送受信する処理を行って検知できる。すなわち、データを送受信しないと通信路が実際に切断されていても検知することができない。したがって、通信端末装置と基地局装置との間のアプリケーション間で定期的に通信を行うことによって通信路の状態を検知する手段を取っている。
【０００４】
【特許文献１】
特開平９−８３６５６号公報（第４頁−５頁、第２図）
【０００５】
【発明が解決しようとする課題】
しかしながら、このような従来の無線通信システムの通信状態検出方法では、無線通信の状態を見るために定期的に無線通信（ポーリング）を行う必要がある。
【０００６】
また、無線通信を行う通信端末装置と基地局装置とがそれぞれ通信状態を認識するためには、両装置とも定期的に無線通信を行う必要がある。また、両装置間で同時に通信状態を認識することは、前記定期的に行う無線通信の周期を正確に両装置の間で一致させる必要があるが、実現容易ではない。
【０００７】
また無線通信が周囲の状況によって一時的に遮断され、復旧する余地がある場合でも、ポーリングでは異常が発生したものと誤認識してしまう恐れがあるという問題があった。
【０００８】
本発明は斯かる実情に鑑み、ポーリングを行なうことなく通信状態を検知でき、無線通信を行う通信端末装置と基地局装置とがそれぞれ通信状態を認識することができ、一時的に遮断され、復旧する余地がある場合に異常が発生したものと誤認識してしまうことのない通信端末装置、基地局装置ならびに無線通信システムを提供するものである。
【０００９】
【課題を解決するための手段】
本発明の通信端末装置は、基地局装置と通信する第１の通信手段と、基地局装置と通信する第２の通信手段と、第１の通信手段が基地局装置と通信可能な通信エリアに対する通信状態を検知する通信状態検知手段とを備え、通信状態検知手段が検知した通信状態を第２の通信手段により基地局装置に通知する構成を有している。
【００１０】
この構成により、第１の通信手段の通信状態を検知して、第２の通信手段により基地局装置に通知するので、ポーリングを行なうことなく、また、一時的に遮断され、復旧する余地がある場合に異常が発生したものと誤認識してしまうこともなく、基地局装置に応用動作の開始や終了を行なわせることができる。
【００１１】
また、本発明の通信端末装置は、通信状態検知手段で、第１の通信手段が通信エリアに進入したことを検知した場合に、通信状態を通知する構成を有している。この構成により、通信端末装置は、基地局装置に第１の通信手段との通信開始時期を知らせることができる。
【００１２】
また、本発明の通信端末装置は、通信状態検知手段で、第１の通信手段が通信エリアから離脱したことを検知した場合に、通信状態を通知する構成を有している。この構成により、通信端末装置は、基地局装置に第１の通信手段との通信終了時期を知らせることができる。
【００１３】
また、本発明の通信端末装置は、通信状態検知手段で、第１の通信手段が受信する基地局装置からの信号の状態と、あらかじめ取得した通信エリアを示す位置データに対する現在位置を測位する現在位置測位手段によって得られた現在位置データの状態と、あらかじめ取得した通信エリアを示す位置データに対する通信端末装置の周辺から取得した情報により得られる位置データの状態のうちの少なくとも一つで検知する構成を有している。
【００１４】
この構成により、基地局装置からの信号の状態や、通信エリアの位置データに対する現在位置データの関係や、通信エリアの位置データに対する通信端末装置が存在する周辺からの位置データによって、通信エリアに進入し、通信可能状態になったか、あるいは通信エリアから離脱して通信不能状態となったかを検知することができる。
【００１５】
また、本発明の通信端末装置は、通信エリアが、第２の通信手段で基地局装置と通信可能なエリアよりも狭い構成を有している。この構成により、通信エリア境界付近での通信状態を第２の通信手段で確実に基地局装置に通知することができる。
【００１６】
また、本発明の基地局装置は、通信端末装置と通信可能な第１の通信エリアを有する第１の通信手段と、第１の通信エリアより広い通信端末装置と通信可能な第２の通信エリアを有する第２の通信手段とを備え、通信端末装置の第１通信エリアに対する通信状態を第２の通信手段で受信する構成を有している。
【００１７】
この構成により、基地局装置は、ポーリングを行なうことなく第１の通信手段の通信状態を検知でき、無線通信を行う通信端末装置と基地局装置とがそれぞれ通信状態を認識することができ、一時的に遮断され、復旧する余地がある場合に異常が発生したものと誤認識してしまうこともない。
【００１８】
さらに、本発明の基地局装置は、通信端末装置が第１の通信エリアに進入あるいは第１の通信エリアから離脱したことを示す通信状態を第２の通信手段が受信した場合に、通信に関するアプリケーションを実行するアプリケーション実行手段が第１の通信手段と通信端末装置との通信の接続である接続処理、あるいは第１の通信手段と通信端末装置との通信の切断である切断処理を行う構成を有している。
【００１９】
この構成により、基地局装置は、ポーリングを行なうことなく第１の通信手段の通信状態を検知し、確実に第１の通信手段での通信端末装置との接続処理、あるいは切断処理を行うことができる。
【００２０】
【発明の実施の形態】
以下、本発明の実施の形態について、図面を用いて説明する。
【００２１】
図１は、本発明の一実施の形態における無線通信システムの構成を示すブロック図である。本実施の形態の無線通信システムは、通信端末装置１００と基地局装置２００とを備えている。
【００２２】
図１において、通信端末装置１００は、車両（図示せず）に搭載され、無線ＬＡＮやＤＳＲＣ（Ｄｅｄｉｃａｔｅｄ  Ｓｈｏｒｔ  Ｒａｎｇｅ  Ｃｏｍｍｕｎｉｃａｔｉｏｎ）などの狭い範囲の通信をおこなう狭域無線通信部１０１と、狭域無線通信部１０１の通信状態を検知する通信状態検知部１０２と、狭域無線通信部１０１がおこなう通信より通信エリアが広い、たとえば、携帯電話回線網といった広域無線通信網を利用してインターネットなどのネットワーク（図示せず）に接続してデータ通信を可能とする広域無線通信部１０３と、装置内各部を制御する制御部１０４と、狭域無線通信部１０１による狭域無線通信が可能な際に基地局装置２００のアプリケーションと通信を行う通信アプリ部１０５とを含む。
【００２３】
基地局装置２００は、車両が通行する道路などの近くに設置され、狭い範囲の通信をおこなう狭域無線通信部２０１と、携帯電話回線網といった広域無線通信網を利用してインターネットなどのネットワークに接続してデータ通信を可能とする広域無線通信部２０３と、装置内各部を制御する制御部２０４と、狭域無線通信部２０１による狭域無線通信が可能な際に通信端末装置１００のアプリケーションと通信を行う通信アプリ部２０５とを含む。
【００２４】
次に、図２、図３を用いて本発明の一実施の形態における通信端末装置、基地局装置ならびに無線通信システムの動作について説明する。
【００２５】
図２および図３は、本発明の一実施の形態における無線通信システムの動作を示すフローチャートである。図２は、通信端末装置１００が基地局装置２００の狭域無線通信エリアに進入した場合、図３は、通信端末装置１００が基地局装置２００の狭域無線通信エリアから離脱した場合の動作を示している。
【００２６】
通信端末装置１００を搭載した車両が移動するなどして、基地局装置２００と狭域無線通信が可能な狭域無線通信エリア内に進入すると、それを通信状態検知部１０２が検知して制御部１０４に通知する（Ｓ１１）。狭域無線通信エリア内に進入したことを検知する動作は、狭域無線通信部１０１が基地局装置２００の狭域無線通信部２０１から常時出力されている電波を受信することによって行われる。
【００２７】
通信状態検知部１０２が狭域無線通信エリア内に進入したことを検知する他の方法として、あらかじめ狭域無線通信エリアを示す狭域無線通信エリア位置データを取得しておき、ＧＰＳなどの現在位置測位部（図示せず）を利用して現在位置データを取得し、取得した現在位置データを狭域無線通信エリア位置データに照らし合わせて狭域無線通信エリアに進入したことを検知するようにしてもよい。
【００２８】
さらに、通信状態検知部１０２が狭域無線通信エリア内に進入したことを検知する他の方法として、あらかじめ狭域無線通信エリアを示す狭域無線通信エリア位置データを取得しておき、カメラ（図示せず）などを利用して現在位置周辺に記載されている町名番地表示、駅名表示、バス停表示、建物表示といった現在位置を特定できる情報に基づいて、通信端末装置１００があらかじめ備えた位置データベース（図示せず）や、広域無線通信部１０３を介して基地局装置２００やネットワークを介して他の位置データベース（図示せず）から、現在位置データを取得し、取得した現在位置データを狭域無線通信エリア位置データに照らし合わせて狭域無線通信エリアに進入したことを検知するようにしてもよい。
【００２９】
次に、通知を受けた制御部１０４は、通信アプリ部１０５を起動して基地局装置２００との通信に備える（Ｓ１２）。なお、通信アプリ部１０５は、あらかじめ起動されていてもよい。次に、広域無線通信部１０３は、基地局装置２００と広域無線通信部２０３を介して広域無線通信路を確立し、狭域無線通信エリアに進入したことを通知する（Ｓ１３）。
【００３０】
基地局装置２００は、通信端末装置１００が狭域無線通信エリアに進入した通知を受信すると（Ｓ１４）、通信アプリ部２０５を起動して通信端末装置１００との通信に備える（Ｓ１５）。
【００３１】
次に、通信端末装置１００内の通信アプリ部１０５から基地局装置２００内の通信アプリ部２０５へ、もしくは基地局装置２００内の通信アプリ部２０５から通信端末装置１００内の通信アプリ部１０５へ、通信路締結の要求を発行し、通信路を締結した（Ｓ１６）後、通信アプリ部１０５、２０５間の通信を開始する（Ｓ１７）。
【００３２】
図３において、通信端末装置１００が無線基地局装置２００の狭域無線通信エリア内から離脱すると、それを通信状態検知部１０２が検知して制御部１０４に通知する（Ｓ２１）。通信状態検知部１０２が、狭域無線通信エリア内から離脱したことを検知する動作は、先に通信状態検知部１０２が、狭域無線通信エリア内に進入したことを検知する動作と同様にして行なわれる。
【００３３】
次に、通知を受けた制御部１０４は、通信アプリ部１０５に基地局装置２００との通信が途絶えたことを通知する（Ｓ２２）。通信アプリ部１０５は、基地局装置２００との通信路が締結されていた場合には、その通信路を切断するなど、必要な処理を実行する（Ｓ２３）。
【００３４】
次に、通信端末装置１００は、基地局装置２００と広域無線通信部１０３、２０３による広域無線通信路が締結されていない場合は、これを締結し、広域無線通信部１０３は、広域無線通信部２０３へ、狭域無線通信エリアから離脱したことを通知する（Ｓ２４）。
【００３５】
基地局装置２００は、広域無線通信部２０３で、通信端末装置１００が狭域無線通信可能エリアから離脱した通知を受信すると（Ｓ２５）、通信アプリ部２０５にこれを通知し（Ｓ２６）、通信アプリ部１０５、２０５間の通信路が締結されていた場合には、その通信路を切断するなど、必要な処理を実行する（Ｓ２７）。
【００３６】
以上説明したように、本実施の形態では、通信アプリ部１０５と通信アプリ部２０５とが、狭域無線通信部１０１、２０１、あるいは広域無線通信部１０３、２０３を介して、定期的に無線通信を行うことなく、通信端末装置１００が狭域無線通信エリアに進入したこと、あるいは離脱したことを検知し、通信端末装置１００およびこれに対向する基地局装置の通信アプリ部１０５、２０５に通知するので、本通知をもって適切な処理、例えば、通信アプリ部の起動処理や、対向する装置内の通信アプリ部との通信路の締結や、狭域無線通信エリアから離脱することによって無効となった通信路の切断や通信アプリの終了処理を実行することができる。
【００３７】
尚、本発明の通信端末装置、基地局装置および無線通信システムは、上述の実施例にのみ限定されるものではなく、本発明の要旨を逸脱しない範囲内において種々変更を加え得ることは勿論である。
【００３８】
また、通信アプリ部は通信端末装置および基地局装置の内部に備えられているいる場合で説明したが、本発明はこれに限定されることなく、ネットワークや接続ケーブルを介して、他の装置にあっても同様の効果が得られる。
【００３９】
【発明の効果】
以上説明したように、本発明の通信端末装置、基地局装置および無線通信システムによれば、通信端末装置が、第１の通信手段の通信状態を検知して、第２の通信手段により基地局装置に通知するので、ポーリングを行なうことなく、また、一時的に遮断され、復旧する余地がある場合に異常が発生したものと誤認識してしまうこともなく、基地局装置は応用動作の開始や終了を行なうことができるという優れた効果を奏し得る。
【図面の簡単な説明】
【図１】本発明の一実施の形態における通信端末装置、基地局装置および無線通信システムの構成を示すブロック図
【図２】本発明の一実施の形態における通信端末装置、基地局装置および無線通信システムの動作を示すフローチャート
【図３】本発明の一実施の形態における通信端末装置、基地局装置および無線通信システムの動作を示すフローチャート
【符号の説明】
１００  通信端末装置
１０１、２０１  狭域無線通信部
１０２  通信状態検知部
１０３、２０３  広域無線通信部
１０４、２０４  制御部
１０５、２０５  通信アプリ部
２００  基地局装置
【図１】
2004349922.tif 000003
【図２】
2004349922.tif 000004
【図３】
2004349922.tif 000005